【事件の表示】
　特許第３２２０４３０号「病害虫の発生予察及び情報提供のためのシステム並びに方法」の請求項１ないし６に係る特許に対する特許異議の申立てについて、次のとおり決定する。
【結　論】
　訂正を認める。
　特許第３２２０４３０号の請求項１に係る特許を取り消す。
【理　由】
１．手続の経緯
　本件特許第３２２０４３０号発明は、平成１０年３月３１日に特許出願されたものであって、平成１３年８月１０日にその特許の設定登録がなされ、その後、特許異議申立人社団法人日本植物防疫協会より特許異議の申立がなされ、平成１４年８月１９日付けで取消理由通知がなされ、その指定期間内である平成１４年１０月２９日に訂正請求がなされた後、平成１５年７月９日付けで再度取消理由通知がなされたところ、その指定期間内に何らの応答もなされなかったものである。
　
２．訂正の適否についての判断
２．１　訂正事項
　特許権者は、訂正請求書に添付した訂正明細書のとおりに訂正することを求めており、その訂正内容は以下のとおりである。
ア．訂正事項ａ
　発明の名称「病害虫の発生予察及び情報提供のためのシステム並びに方法」を「病害虫の発生予察システム」と訂正する。
イ．訂正事項ｂ
　特許請求の範囲の請求項１の記載を
「　【請求項１】　少なくとも１つの地点の現在の気象情報と、少なくとも１つの病害虫の気象的な発生環境と少なくとも１つの病害虫の駆除方法情報とを格納した記憶装置と、
　前記記憶装置内の各地点の前記現在の気象情報と各病害虫の発生環境とに基づいて各地点に関連する地域における病害虫の発生可能性を予察し出力する予察手段を有する処理装置と、を備え、かつ、前記処理装置の前記予察手段は、前記病害虫の過去の発生地域が前記各地点に関連する地域に距離的及び地理環境的に近いか遠いかという事情も参酌して前記病害虫の発生可能性を予察し出力するものであり、さらに、前記処理装置の前記予察手段が、
（１）前記記憶装置から、発生可能性が予察された各病害虫の前記駆除方法情報を前記記憶装置から読み出力する駆除情報出力手段と、
（２）一定時間後又は利用者が指定した時間後又は指定した時間帯における指定地域の病害虫発生化可能性を予察し、予察された発生地域を地図画像上にマッピングして発生推移が分かる画面を表示させる発生推移予察手段とを有する病害虫発生予察システム。」
と訂正する。
ウ．訂正事項ｃ
　特許請求の範囲の請求項２ないし６を削除する。
エ．訂正事項ｄ
　特許明細書の段落【０００５】の記載を
「　【課題を解決するための手段】
　本発明の病害虫発生予察システムは、少なくとも１つの地点の現在の気象情報と、少なくとも１つの病害虫の気象的な発生環境と病害虫の駆除方法情報又は薬剤の詳細情報又は病害虫の詳細情報又は植物の詳細情報の少なくともいずれか一つの情報を格納した記憶装置と、この記憶装置内の現在の気象情報と各病害虫の発生環境とに基づいて各地点に関連する地域における病害虫の発生可能性を予察し出力する予察手段を有する処理装置とを備える。かつ、前記予察手段は、前記病害虫の過去の発生地域が前記各地点に関連する地域に距離的及び地理環境的に近いか遠いかという事情も参酌して前記病害虫の発生可能性を予察し出力するものであり、さらに、前記予察手段が、
（１）前記記憶装置から、発生可能性が予察された各病害虫の前記駆除方法情報を前記記憶装置から読み出力する駆除情報出力手段と、
（２）一定時間後又は利用者が指定した時間後又は指定した時間帯における指定地域の病害虫発生化可能性を予察し、予察された発生地域を地図画像上にマッピングして発生推移が分かる画面を表示させる発生推移予察手段とを有する。
このシステムは、病害虫の発生が気象環境に大きく左右されることに着目して、各地域の少なくとも現在の気象情報と、予めの研究で判明している病害虫の発生環境とを突き合わせて、各地域での病害虫の発生可能性を予察する。この事前の予察により、病害虫発生に対する的確な予防保全策を講じることが容易となる。」
と訂正する。
　
２．２　訂正の目的の適否及び拡張・変更の存否
　訂正事項ｂは、請求項１の記載中に「前記処理装置の前記予察手段は、前記病害虫の過去の発生地域が前記各地点に関連する地域に距離的及び地理環境的に近いか遠いかという事情も参酌して前記病害虫の発生可能性を予察し出力するものであり、」および「一定時間後又は利用者が指定した時間後又は指定した時間帯における指定地域の病害虫発生化可能性を予察し、予察された発生地域を地図画像上にマッピングして発生推移が分かる画面を表示させる発生推移予察手段と」の構成を追加することにより、「予察手段」の構成を限定するものであるから、特許請求の範囲の減縮を目的とするものである。
　訂正事項ｃは、請求項２ないし６を削除することによって、特許請求の範囲を減縮するものである。
　訂正事項ａおよびｄは、訂正事項ｂおよびｃによって訂正された特許請求の範囲の記載に整合するように、特許明細書の記載を訂正するものであるから、明りょうでない記載の釈明を目的とするものである。
　
　また、上記訂正は、特許明細書の段落【００６５】の記載及び図１５、同【００７９】の記載及び図２６〜図２８をその根拠とするものであるから、訂正事項ａないしｄは、いずれも特許明細書の記載事項の範囲内の訂正であり、新規事項の追加に該当せず、実質的に特許請求の範囲を拡張しまたは変更するものではない。
　
２．３　むすび
　以上のとおりであるから、上記訂正は、特許法第１２０条の４第２項及び同条第３項において準用する特許法第１２６条第２項から第４項までの規定に適合するので、当該訂正を認める。
　
３．特許異議の申立についての判断
　上記のとおり訂正請求が認められたので、本件発明は、訂正明細書の特許請求の範囲の請求項１に記載された事項によって特定されるとおりのものである（「２．１　ア．訂正事項ａ」参照）。
　これに対して、平成１５年７月９日付けで取消理由を通知し、期間を指定して意見書を提出する機会を与えたが、特許権者からは何らの応答もない。
　そして、上記の取消理由は妥当なものと認められるので、本件請求項１に係る特許は、この取消理由によって取り消すべきものである。
　よって、結論のとおり決定する。
【異議決定日】
平成１５年１０月２７日（２００３．１０．２７）
【訂正の要旨】
審決（決定）の【理由】欄参照。
（５４）【発明の名称】
病害虫の発生
予察システム
（５７）【特許請求の範囲】
　【請求項１】　少なくとも１つの地点の現在の気象情報と、少なくとも１つの病害虫の気象的な発生環境と少なくとも１つの病害虫の駆除方法情報とを格納した記憶装置と、
　前記記憶装置内の各地点の前記現在の気象情報と各病害虫の発生環境とに基づいて各地点に関連する地域における病害虫の発生可能性を予察し出力する予察手段を有する処理装置と、
を備え、かつ、
前記処理装置の前記予察手段は、前記病害虫の過去の発生地域が前記各地点に関連する地域に距離的及び地理環境的に近いか遠いかという事情も参酌して前記病害虫の発生可能性を予察し出力するものであり、
　
さらに、
（１）
と、
（２）一定時間後又は利用者が指定した時間後又は指定した時間帯における指定地域の病害虫発生化可能性を予察し、予察された発生地域を地図画像上にマッピングして発生推移が分かる画面を表示させる発生推移予察手段と
【発明の詳細な説明】
　【０００１】
　【発明の属する技術分野】
　本発明は、農作物に対する病害虫発生を事前に予察する装置に関する。
　【０００２】
　【従来の技術】
　当然のことであるが、農作物ほど人類にとり重要な産物はない。この農作物の収穫を左右する主要因は気象と病害虫の発生頻度である。これらのうち病害虫の発生に関しては、現在人手による予察が行われている。すなわち、各県毎に病害虫防除所が設置され、情報収集と対策に努めている。最も普通の情報収集法は、県内に植えられたモニタ用の植物を定期的に観察し、病害虫の発生状態を調べるという方法である。
　【０００３】
　【発明が解決しようとする課題】
　病害虫の発生には、気象や地理などの環境、病害虫自身の特性、適用した予防・駆除方法、過去の経緯など様々な要因が絡んでいる。しかし、こうした種々の情報をきめ細かく収集し分析し予察に役立てることは、現状のやり方ではできない。そのため、早期の的確な予察が難しく、結果として、病害虫に対する対策が予防保全でなく、事後保全の色合いを強めている。また、収集された情報は資料化され所内に蓄積されてはいるが、近県への情報提供や、営農者などへの対策策定情報としての利活用もされていない。実際、その恩恵を受けるべき営農者にその効果が現れておらず、例えば病害虫による一晩の農業損失が一地域で数億円を数えたケースは珍しくない。
　【０００４】
　従って、本発明の目的は、農作物に対する病害虫の発生を的確に予察し、その結果を関係者が効果的に利活用できるようにすることにある。
　【０００５】
　【課題を解決するための手段】
　本発明の病害虫発生予察システムは、少なくとも１つの地点の現在の気象情報と、少なくとも１つの病害虫の気象的な発生環境と病害虫の駆除方法情報又は薬剤の詳細情報又は病害虫の詳細情報又は植物の詳細情報の少なくともいずれか一つの情報を格納した記憶装置と、この記憶装置内の現在の気象情報と各病害虫の発生環境とに基づいて各地点に関連する地域における病害虫の発生可能性を予察し出力する予察手段を有する処理装置とを備える。
かつ、前記予察手段は、前記病害虫の過去の発生地域が前記各地点に関連する地域に距離的及び地理環境的に近いか遠いかという事情も参酌して前記病害虫の発生可能性を予察し出力するものであり、さらに、前記予察手段が、（１）前記記憶装置から、発生可能性が予察された各病害虫の前記駆除方法情報を前記記憶装置から読み出力する駆除情報出力手段と、（２）一定時間後又は利用者が指定した時間後又は指定した時間帯における指定地域の病害虫発生化可能性を予察し、予察された発生地域を地図画像上にマッピングして発生推移が分かる画面を表示させる発生推移予察手段とを有する。
　【０００６】
　病害虫の発生環境だけでなく消滅環境も記憶装置に格納しておき、この消滅環境も考慮して予察を行うようにしてもよい。また、現在の病害虫の発生状況も記憶装置に格納しておき、これも考慮に入れて予察を行ってもよい。
　【０００７】
　望ましくは、処理装置は気象システムと随時又は定期的に通信して、気象情報を自動的に更新することができる。これにより、常に最新の気象情報に基づいた予察が可能となる。また、望ましくは、現在の気象情報だけでなく、過去の気象情報の履歴及び将来の予測された気象情報も考慮して予察を行うことができる。これにより、予察の精度が高まる。
　【０００８】
　また、多数の地点の気象情報を記憶装置に収集しておき、この多数地点の気象情報と各病害虫の発生環境とに基づいて、各病害虫の発生可能性のある地域範囲を予察するようにすることもできる。
　【０００９】
　予察結果の出力形態としては、例えば、地図画像上に発生可能性が予察された地域又は地域範囲の絵をマッピングして表示する方法が採用できる。これにより、利用者は容易に予察結果を把握することができる。
　【００１０】
　また、将来の１時点の病害虫発生可能性だけでなく、将来の異なる複数時点での発生可能性を予察するようにすることもできる。これにより、病害虫の発生推移を把握することが可能になる。
　【００１１】
　予察結果だけでなく、現在の発生状況も同様の形態で出力できるようにしてもよい。
　【００１２】
　更に、記憶装置に各病害虫の駆除方法情報も格納しておいて、発生可能性が予察された病害虫の駆除方法情報を読み出力するようにすることもできる。このように予察結果を単なる情報提供に終わらせず、それに基づく駆除方法もサポートすることにより、予察結果を真に実効あるものにすることができる。また、同じ病害中であっても環境によって適当な駆除方法が異なることを考慮して、記憶装置内に各病害虫の各発生環境毎の適用駆除方法を格納しておき、病害虫発生予察に用いた気象情報とその発生環境とを突き合わせて、現在又は近い将来の気象環境において最適な駆除方法を選択するようにすることもできる。
　【００１３】
　また、記憶装置内に、各病害虫の駆除方法、駆除に用いる各薬剤の詳細情報、各病害虫の詳細情報、各植物の詳細情報、過去から将来までの気象情報等を格納しておいて、利用者の要求に応じてそれらの情報を提供できるようにしてもよい。これにより、利用者は単なる予察結果を得るだけでなく、関連する病害虫や植物等に関連するさまざまな詳細情報を得ることができるので、予察結果の利活用の幅と深みが拡大する。
　【００１４】
　処理装置は営農者や関係諸機関の多数の端末と通信可能に接続して、各端末から必要な情報を照会したり、新たな情報を登録したりすることができるようにすることが、情報の利活用を図る上で望ましい。
　【００１５】
　本発明のシステムは、典型的にはコンピュータを用いて実施することができるが、そのためのプログラムは、各種のディスク型ストレージ、半導体メモリ、通信回線などの種々の媒体を通じてコンピュータにインストール又はロードすることができる。
　【００１６】
　【発明の実施の形態】
　図１は、本発明の一実施形態にかかる病害虫発生予察及び情報提供システムの全体のシステム構成を示す。
　【００１７】
　図１に示すように、このシステムの中枢をなすものとして、予察情報システムセンタ１があり、これに通信回線を介して、気象センタ３、農林水産省及び厚生省のコンピュータシステム５、病害虫防除所及び病害虫研究所のシステム７、植物防疫所のシステム９、製薬会社のシステム１１、農業試験場のシステム１３、営農者（又は農業共同組合）及び営林局のシステム１５などが接続されている。
　【００１８】
　予察情報システムセンタ１は、気象庁の気象センタ３並びに病害虫防除所・研究所システム７及び植物防疫所システム９などから送られてくる気象情報及び病害虫関連情報を元に、病害虫の発生を予察し、その予察結果を関係機関や営農者等へ通知する。また、システムセンタ１では、関連機関や営農者から収集した各種の情報（例えば、全国の気象情報、病害虫発生状況、個々の病害虫の詳細情報、外国の病害虫関連情報、駆除方法、駆除結果、薬剤情報等）を管理し、これも関係機関や営農者へ提供する。
　【００１９】
　気象センタ３は、気象情報を収集して気象予測を行うためのシステムであり、全国に点在する観測ポイントから収集した気象情報（例えば気圧、温度、湿度、天気、風向など）を定期的又は随時に予察情報システムセンタ１へ送る。
　【００２０】
　農林水産省及び厚生省のシステム５は、国内の農作物や樹木等の病害虫の発生予察結果、実際の発生状況、駆除方法、駆除結果などをシステムセンタ１から取得し、今後の行政指針を打ち出すための基礎資料としたり、その情報を分析し官報に編集して広報したりする。
　【００２１】
　各病害虫防除所及び各病害虫研究所のシステム７は、国内に発生している個々の病害虫の詳細情報（例えば発生環境、適用植物、症状、被害進捗度合い、駆除方法等）を定期的又は随時にシステムセンタ１に送る。また、このシステム７は、植物防疫所、農業試験場等から得られる駆除方法、駆除結果、外国の病害虫関連情報などをシステムセンタ１から取得して、今後の検討及び研究の素材に資する。
　【００２２】
　植物防疫所は全国の空港及び港に設置されている。各植物防疫所のシステム９は、各空港又は港で発見された病害虫の情報及び諸外国からの病害虫関連情報を定期的又は随時にシステムセンタ１へ送る。また、このシステム９は、駆除関連情報をシステムセンタ１から取得して、各防疫所での最適対応に役立てる。
　【００２３】
　各製薬会社のシステム１１は、気象情報、病害虫発生状況、発生予察結果、個々の病害虫の詳細情報、駆除関連情報及び適用薬剤情報等をシステムセンタ１から取得し、薬剤の生産計画や開発計画の策定に利用する。また、このシステム１１は、既存及び新規薬剤の新情報を定期的又は随時にシステムセンタ１に通知する。
　【００２４】
　農業試験場は、全国各地の設置され、病害虫と植物の因果関係を元に、病害虫の発生を未然に防ぐ方法及び駆除方法、並びに病害虫に強い植物品種の開発などを行い、所管の農業共同組合や個々の営農者並びに営林局等に対して病害虫予防及び駆除方法の指導を行う機関である。各試験場のシステム１３は、こうした活動に資するために病害虫発生予察結果、発生状況、病害虫詳細情報、薬剤情報、駆除結果等をシステムセンタ１から取得すると共に、開発した予防及び駆除方法や植物情報を定期的又は随時にシステムセンタ１へ通知する。
　【００２５】
　各営農者（又は農業協同組合）及び各営林局のシステム１５は、病害虫の発生予察結果、発生状況、個々の病害虫の詳細情報、駆除関連情報等をシステムセンタ１から取得して、発生予防及び駆除の実施に活用する。また、このシステム１５は、今後の対策の検討及び研究に資するために、実施した駆除の結果を定期的又は随時にシステムセンタ１へ通知する。
　【００２６】
　ところで、予察情報システムセンタ１をとりまく各種関係機関のシステムが、システムセンタ１と具体的にどのような情報をやり取りし、そして、取得した情報をどのような活用するかという点については、上述の説明は一つの概略的な例示に過ぎず、実際は上述の説明とはだいぶ様相が異なり且つ一層複雑である可能性が十分にある。しかし、こうした具体的細部は本発明の本質ではない。重要なことは、予察情報システムセンタ１が、気象情報を始めとする病害虫発生要因となる情報を収集し分析することにより病害虫発生を事前に予察し、その予察結果を関係機関へ提供することができる点である。また、別の重要な点は、発生する可能性があると予察された病害虫について、それに有効な駆除方法や薬剤に関する詳細な情報も関係機関へ提供することにより、予察情報の単なる提供に終わらせず最終的な駆除までサポートする点である。
　【００２７】
　以下、予察情報システムセンタ１について詳しく説明する。
　【００２８】
　図２は、予察情報システムセンタ１がもつ処理機能及びファイルの種類を示す。図３〜図８は、各ファイルの内容を示す。
　【００２９】
　予察情報システムセンタ１は、利用者管理ファイル５１、気象情報ファイル５３、植物情報ファイル５５、病害虫情報ファイル５７、薬剤情報ファイル５９、地図情報ファイル６１及び画像情報ファイル６３を有する。
　【００３０】
　利用者管理ファイル５１には、図３に示すように、このシステムセンタ１の利用者（図１に示した各種関係機関やその構成員など）の識別（ＩＤ）、利用者名、パスワード、利用開始時間、利用者区分、連絡先などが記録されている。
　【００３１】
　気象情報ファイル５３には、図４に示すように、各観測日時及び各観測ポイントにおける温度、湿度、気圧、天気、風向、風速、大気汚染度、発生度等が記録されている。
　【００３２】
　植物情報ファイル５５には、図５に示すように、個々の植物品種の名称（和名及び学術名称）、品種登録番号、原産地、寄生病害虫、使用可能薬剤、画像番号等が記録されている。
　【００３３】
　病害虫情報ファイル５７には、図６に示すように、個々の病害虫の名称、発生環境（温度範囲、湿度範囲、気圧範囲、天気、大気汚染度等）、駆除方法、発生地域、画像番号等が記録されている。図示してないが、発生環境だけでなく消滅環境も記録しておくことができる。
　【００３４】
　薬剤情報ファイル５９には、図７に示すように、個々の薬品の名称、製薬会社名、有効病害虫、使用方法、注意事項、価格、連絡先、画像番号等が記録されている。
　【００３５】
　地図情報ファイル６１には、全国の地図が格納されている。
　【００３６】
　画像情報ファイル６３には、個々の植物品種及び病害虫の画像データとその画像番号などが記録されている。
　【００３７】
　再び図２を参照する。予察情報システムセンタ１が行う情報処理には、メイン処理２０、病害虫情報登録２１、研究情報登録２３、気象情報登録２５、利用者登録・確認２７、気象情報照会２９、病害虫発生予察・予察情報照会３１、病害虫情報照会３３、駆除方法登録３５、駆除方法照会３７、薬剤情報登録３９、薬剤情報照会４１、植物情報登録４３及び植物情報照会４５がある。システムセンタ１は、図１に示した各種関係機関システム３〜１５のシステムセンタ７１及び利用者端末７３と通信しながら、上記情報処理２０〜４５を選択的又は同時的に実行する。それら情報処理２０〜４５の概要は次の通りである。
　【００３８】
　メイン処理２０は、全体のジョブ管理を行うもので、システムセンタ７１及び利用者端末７３からの要求に応じて情報処理２１〜４５のいずれかを選択し起動する処理である。
　【００３９】
　病害虫情報登録２１は、病害虫防除所・研究所７等の病害虫詳細情報を把握する機関のシステムセンタ７１からセンタ間通信で送られてくる病害虫に関する各種の情報を受信して、受信した病害虫情報を関係するファイル（例えば病害虫情報ファイル５７、植物情報ファイル５５、画像情報ファイル６３等）に最新情報として登録する処理（後述する「病害虫１処理」）、及び、そうした病害虫情報機関に設置されている端末７３から起動されて、病害虫に関する各種情報（例えば病害虫名、発生環境、駆除方法、発生地域等）を病害虫情報ファイル５７に最新情報として登録する処理（後述する「病害虫２処理」）である。なお、関係ファイル内の旧い情報は各ファイルの履歴情報として管理する。
　【００４０】
　研究情報登録２３は、農業試験場１３等の研究機関のシステムセンタ７１からセンタ間通信で送られてくる植物に関する各種情報を受信して、受信した植物情報を関係するファイル（例えば植物情報ファイル５５、病害虫情報ファイル５７、薬剤情報ファイル５９、画像情報ファイル６３等）に最新情報として登録する処理（後述する「研究所１処理」）、及び、そうした研究機関に設置されている端末７３から起動されて、植物に関する各種情報（例えば植物名、学術名、品種登録番号、原産地、寄生病害虫名、使用可能薬剤等）を植物情報ファイル５５に最新情報として登録する処理（後述する「病害虫２処理」）である。なお、関係ファイル内の旧い情報は各ファイルの履歴情報として管理する。
　【００４１】
　気象情報登録２５は、気象センタ３（７１）からセンタ間通信で送られてくる気象に関する各種情報を受信して、受信した気象情報を気象情報ファイル５３に最新情報として登録する処理である。なお、気象情報ファイル５３内の旧い情報は同ファイル５３の履歴情報として管理する。
　【００４２】
　利用者登録・確認２７は、当システムを利用する資格者（利用者）を新規登録したり更新したりする処理、及び利用者端末７３から利用要求があったときに利用者ＩＤやパスワードを用いて利用者であるか否かの確認を行う処理（後述する「利用者確認処理」）である。
　【００４３】
　気象情報照会２９は、利用者端末７３によって起動され、気象情報ファイル５３に登録されている気象情報を分析及び加工して、指定された地域（全国、都道府県、市町村等）の地図画像の上にマッピングして端末７３に表示する処理である。履歴が指定された場合には、指定地域における過去の天気、温度、湿度、気圧等を表の形式で表示する。
　【００４４】
　病害虫発生予察・予察情報照会３１は、気象情報ファイル５３、植物情報ファイル５５、病害虫情報ファイル５７、薬剤情報ファイル５９、地図情報ファイル６１を読み、各地域での現時点までの気象経緯などに基づいて個々の病害虫の発生を予察し、発生可能性のある地域及び発生可能性のある病害虫の駆除方法を病害虫情報ファイル５７に登録する処理（後述する「病害虫発生予察」）、及び、利用者端末７３により起動され、指定された地域の地図画像上に発生可能性のある各病害虫毎の発生可能性のある地域の絵をマッピングして端末７３に表示する処理（後述する「病害虫発生予察情報照会」）である。病害虫発生予察情報照会では、予察結果だけでなく、現在の病害中が発生している地域の絵も表示することができる。また、この病害虫発生予察情報照会では、端末７３からの要求で次に述べる病害虫情報照会３３を起動して、発生可能性のある病害虫の詳細情報を提供することもできる。
　【００４５】
　病害虫情報照会３３は、利用者端末７３により起動され、指定された病害虫の詳細情報（例えば発生環境、駆除方法、過去及び予察された発生地域、画像）を病害虫情報ファイル５７及び画像情報ファイル６３から読み端末７３に提供する処理である。端末７３からの要求で後述の薬剤情報照会４１を起動して、駆除方法の詳細を提供することもできる。
　【００４６】
　駆除方法登録３５は、農業試験場１３、病害虫防除所・研究所７等の端末７３から起動され、指定された病害虫が指定された植物に発生するケースについて、そのケースが想定される温度、湿度、気圧、有効な駆除薬剤名、薬剤濃度、散布方法等を病害虫情報ファイル５７に登録する処理である。必要に応じて、病害虫写真の画像情報ファイル６３への登録を行ったり、後述する薬剤情報登録３９を起動して薬剤に関する他の詳細情報を薬剤情報ファイル５９に登録したりすることもできる。
　【００４７】
　駆除方法照会３７は、利用者端末７３により起動され、指定された病害虫の駆除方法を病害虫情報ファイル５７、薬剤情報ファイル５９を読んで端末７３へ提供する処理である。必要に応じて、画像情報ファイル６３から病害虫写真を読んで提供したり、後述する薬剤情報照会４１を起動して薬剤の詳細な情報を提供したりすることもできる。
　【００４８】
　薬剤情報登録３９は、製薬会社１１、農業試験場１３等の研究機関の端末７３によって起動され、病害虫に使用する薬剤に関する詳細情報（例えば薬剤名、有効病害虫名、使用方法、注意事項等）を薬剤情報ファイル５９へ登録する処理である。必要に応じて薬剤写真の画像情報ファイル６３への登録も行う。
　【００４９】
　薬剤情報照会４１は、利用者端末７３により起動され、指定された薬剤の詳細情報を薬剤情報ファイル５９から読んで端末７３へ提供する処理である。必要に応じて、薬剤写真も提供することができる。
　【００５０】
　植物情報登録４３は、農業試験場１３等の研究機関の端末７３により起動され、植物に関する詳細情報（植物名、学術名、品種登録番号、原産地、寄生病害虫名、使用推薦薬剤名等）を植物情報ファイル５５に登録する処理である。旧い情報は履歴情報として管理する。必要に応じ、植物写真の画像情報ファイル６３への登録も行う。
　【００５１】
　植物情報照会４５は、利用者端末７３により起動され、指定された植物の詳細情報を植物情報ファイル５５から読んで端末７３へ提供する処理である。必要に応じて、植物写真を画像情報ファイル６３から読んで提供したり、病害虫情報照会処理３３を起動して指定された病害虫の詳細情報を提供したりすることができる。
　【００５２】
　以下、上述の情報処理２０〜４５の詳細を説明する。
　【００５３】
　図９は、メイン処理２０の流れを示す。図１０は、メイン処理２０で用いる処理フラグを示す。図１１は、メイン処理２０で端末７３に表示する業務選択画面を示す。
　【００５４】
　メイン処理２０は端末７３により起動される、この処理２０の制御は、最初に最初フラグ（図示せず）を「９」（オン）にセットし（Ｓ１）、次に図１１に示す業務選択画面を端末７３に表示する（Ｓ２）。業務選択画面は、メイン処理２０の下位にある図２に示した各種情報処理２１〜４５を利用者が選択するためのボタン１０１〜１２１及び終了ボタン１２３を有している。
　【００５５】
　続いて、制御は図１０に示す処理フラグを参照する（Ｓ４、Ｓ５、Ｓ８）。この処理フラグはシステムセンタ１に１個存在するもので、気象フラグ９１、病害虫フラグ９３、研究所フラグ９５から構成される。気象センタ３並びに病害虫防除所・研究所７や農業試験場１３等のシステムセンタ７１からセンタ間通信により気象情報、病害虫情報及び植物情報の通信要求がそれぞれあったときに、気象フラグ９１、病害虫フラグ９３及び研究所フラグ９５がそれぞれ「９」（オン）にセットされるようになっている。制御は、研究所フラグ９５が「９」であれば「研究所１処理」（図２の研究所情報登録２３）を起動し（Ｓ６）、病害虫フラグ９３が「９」であれば「病害虫１処理」（図２の病害虫情報登録２１）を起動し（Ｓ９）、気象フラグ９１が「９」であれば図２の気象情報登録２５を起動し（Ｓ１１）、それぞれの処理が終わるとそれぞれのフラグ９１、９３又は９５を「０」（オフ）にセットし（Ｓ７、Ｓ１０、Ｓ１２）、ステップＳ３へ戻る。但し、気象情報登録２５を行った場合は、続いて「病害虫発生予察」（図２の病害虫発生予察・予察情報照会３１）を起動し（Ｓ１３）、予察が終わった後にステップＳ３へ戻る。
　【００５６】
　処理フラグ９１、９３、９５が全て「０」であれば、制御は次に前述の最初フラグを参照する（Ｓ１４）。当初は最初フラグが「９」であるから、制御は図２の利用者登録・確認２５に進み（Ｓ２７）、その結果、利用者確認が成功すれば最初フラグを「０」にセットしてステップＳ３へ戻る。一旦利用者確認が成功した後は、制御は、利用者が図１１の業務選択画面上でマウスクリックしたボタンに応じた情報処理へと進む（Ｓ１５以下）。すなわち、病害虫情報登録ボタン１１５がマウスクリックされると「病害虫２処理」（図２の病害虫情報登録２１）を起動し（Ｓ１６）、研究所情報登録ボタン１１３がマウスクリックされると「研究所２処理」（図２の研究所情報登録２３）を起動し（Ｓ１７）、気象情報照会ボタンが１０１がマウスクリックされると図２の気象情報照会２９を起動し（Ｓ１８）、病害虫発生予察情報ボタン１０３がマウスクリックされると「病害虫発生予察情報照会処理」（図２の病害虫発生予察・予察情報照会３１）を起動し（Ｓ１９）、病害虫情報ボタン１１５がマウスクリックされると図２の病害虫情報照会３３を起動し（Ｓ２０）、駆除方法登録ボタン１０５がマウスクリックされると図２の駆除方法登録３５を起動し（Ｓ２１）、駆除方法照会ボタン１１７がマウスクリックされると図２の駆除方法照会３７を起動し（Ｓ２２）、薬剤情報登録ボタン１０７がマウスクリックされると図２の薬剤情報登録３９を起動し（Ｓ２３）、薬剤情報照会ボタン１１９がマウスクリックされると図２の薬剤情報照会４１を起動し（Ｓ２４）、植物情報登録ボタン１０９がマウスクリックされると図２の植物情報登録４３を起動し（Ｓ２５）、植物情報照会ボタン１２１がマウスクリックされると図２の植物情報照会４５を起動し（Ｓ２６）、それぞれの処理が終わるとステップＳ３へ戻る。また、終了ボタン１２３がマウスクリックされると、制御はこのメイン処理２０を終了させる（Ｓ３、Ｓ２９）。
　【００５７】
　尚、このメイン処理において、ステップＳ４〜Ｓ１３の部分は独立したプロセスとして、個々の端末７３によって起動される他の部分とは別に制御してもよい。
　【００５８】
　図１２は、図９のステップＳ６で起動される「研究所１処理」の流れを示す。
　【００５９】
　この処理では、農業試験場１３等の研究機関のシステムセンタ７１からセンタ間通信で定期的又は随時に送られてくる植物に関する情報を受信して、受信した個々の植物情報をその内容に応じて植物情報ファイル５５、病害虫情報ファイル５７、薬剤情報ファイル５９又は画像情報ファイル６３に最新情報として登録し、旧情報は各ファイルの履歴に移動させる（Ｓ３０）。これを受信した全ての病害虫情報について繰り返す（Ｓ３１）。
　【００６０】
　図１３は、図９のステップＳ９で起動される「病害虫１処理」の流れを示す。
　【００６１】
　この処理では、病害虫防除所・研究所７等の病害虫詳細情報を把握する機関のシステムセンタ７１からセンタ間通信で定期的又は随時に送られてくる病害虫に関する各種の情報を受信して、受信した個々の病害虫情報をその内容に応じて病害虫情報ファイル５７、植物情報ファイル５５又は画像情報ファイル６３に最新情報として登録し、旧情報は各ファイルの履歴に移動させる（Ｓ３２）。これを受信した全て植物情報について繰り返す（Ｓ３３）。
　【００６２】
　図１４は、図９のステップＳ１１で起動される気象情報登録２５の流れを示す。
　【００６３】
　気象情報登録２５では、気象センタ３（７１）からセンタ間通信で定期的又は随時に送られてくる気象に関する各種情報を受信して、受信した気象情報を気象情報ファイル５３に最新情報として登録し、旧い情報は同ファイル５３の履歴に移動させる（Ｓ３４）。これを受信した全て気象情報について繰り返す（Ｓ３５）。
　【００６４】
　図１５は、図９のステップＳ１３で起動される病害虫発生予察処理の流れを示す。
　【００６５】
　この処理では、気象情報ファイル５３、植物情報ファイル５５、病害虫情報ファイル５７、薬剤情報ファイル５９、地図情報ファイル６１を読み（Ｓ３６）、各地域における個々の病害虫の発生を予察する（Ｓ３７）。予察の主要観点は、気象情報ファイル５３から得た現時点までの最新所定期間（例えば最近２日間）の気象経緯と、病害虫情報ファイル５７から得た個々の病害虫の発生環境（温度範囲、湿度範囲、気圧範囲、天気、汚染度等）及び消滅環境との一致度である。この場合、個々の病害虫の発生シーズンと現時点のシーズンとの一致性、各地域で栽培され又は植生している植物種と個々の病害虫が寄生する植物種との一致性も考慮する。また、着目している病害虫について病害虫ファイル５７の履歴に記録されている過去の発生地域が、着目している地域に距離的及び地理環境的に近いか遠いか、及び、着目している病害虫の発生環境が、着目している地域の気象情報ファイル５３の履歴に記録されている過去中期又は長期（例えば過去１週間、数週間又は１シーズン）の気象環境に近いか遠いかといった事情も参酌する。
　【００６６】
　この予察の結果、発生可能性ありと予察された病害虫については、気象情報ファイル５３、植物情報ファイル５５、病害虫情報ファイル５７及び薬剤情報ファイル５９の記録に基づいて、その最適な駆除方法も割り出す（Ｓ３８）。最適な駆除方法の割り出し方法としては、例えば、後述するように各病害虫の駆除方法は病害虫情報ファイル５７などに発生環境別に登録されているので、最近の気象情報と各病害虫の発生環境とを対比して、一致度の高い発生環境の駆除方法を最適方法として選択するといった方法が採用できる。その際、植物情報ファイル５５に記載されている各植物別の駆除方法や、薬剤情報ファイル５９に記録されている各薬剤の特性や価格なども考慮に入れて、着目地域で栽培されている植物に適した駆除方法を優先する、入手容易で価格も低く副作用の少ない薬剤を優先するなどの修正も行うことができる。そして、発生可能性ありと予察された各病害虫について、予察された発生地域及び時間帯並びに割り出された最適駆除方法を病害虫情報ファイル５７に最新情報として登録し、旧い情報は同ファイル５７の履歴へ移動させる（Ｓ３９）。これを気象情報ファイル５３に記録されている全ての気象ポイントに係る地域について繰り返す（Ｓ４０）。
　【００６７】
　尚、気象センタ３から現時点の気象情報だけでなく予測された将来（例えば明日及び明後日）の気象情報も提供してもらい、この将来の気象情報も考慮に入れてステップＳ３７の発生予察を行ってもよい。
　【００６８】
　図１６は、図９のステップＳ２７で起動される利用者登録・確認２７の流れを示す。図１７は、この処理で端末７３に表示する利用者確認画面を示す。
　【００６９】
　この処理では、まず図１７の利用者確認画面（メッセージ１２５、１２７は無い）を表示して利用者に利用者ＩＤとパスワードを入力させ（Ｓ４１）、利用者管理ファイル５１に入力された利用者ＩＤが登録されていて且つ入力パスワードも登録パスワードと一致すれば（Ｓ４２〜Ｓ４４）、原則として利用者の確認が成功したことになり、この登録・確認処理を終了する。確認が失敗した場合、利用者確認画面にエラーメッセージ１２５表示して（Ｓ４５）から、ステップＳ４１に戻って確認をやり直す。
　【００７０】
　本システムの性格上、利用者として新規に登録できる者は不特定者ではなく、システム管理者からシステム管理者用のＩＤとパスワードを予め通知された特定者だけに限られる。そこで、ステップＳ４１で利用者確認画面に入力されたＩＤとパスワードがシステム管理者用のＩＤとパスワードであった場合は（Ｓ４６）、新規登録を行う処理に進む。すなわち、まず、新規に利用者ＩＤとパスワードを割り当てて、その新規の利用者ＩＤとパスワードを新規登録ボタン１２７と共に利用者確認画面に表示する（Ｓ４７）。その後、新規登録ボタン１２７がマウスクリックされれば（Ｓ４９）、その新規の利用者ＩＤとパスワードを利用者管理ファイル５１に登録して（Ｓ５０）、この登録・確認処理を終了する。
　【００７１】
　図１８は、図９のステップ１６で起動される病害虫２処理の流れを示す。図１９は、この処理で端末７３に表示する病害虫情報登録画面を示す。
　【００７２】
　この処理は、病害虫防除所・研究所７等の病害虫詳細情報を把握する機関に設置されている端末７３から起動することができ、起動されるとまず図１９の病害虫情報登録場面をその端末７３に表示する（Ｓ５１）。そして、端末７３から画面に入力された病害虫に関する各種情報（病害虫名、発生温度範囲、発生湿度範囲、発生気圧範囲、特徴（例えば駆除方法、発生地域、症状等））を病害虫情報ファイル５７に最新情報として登録し、旧情報は同ファイル５７の履歴に移動する（Ｓ５２）。また、画面中の病害虫写真登録ボタン１３１がマウスクリックされると（Ｓ５３）、端末７３から入力された病害虫画像を画像情報ファイル６３に登録して、その画像番号を病害虫情報ファイル５７に登録し、旧情報はそれぞれのファイルの履歴へ移動させる（Ｓ５４）。また、薬剤情報登録ボタン１３３がマウスクリックされれば図２の薬剤情報登録３９を起動する。別業務選択ボタン１３５がマウスクリックされれば、この病害虫２処理を終了して図９のステップＳ３へ戻り（Ｓ５６）、終了ボタン１３７がマウスクリックされれば業務（メイン処理）を終了する（Ｓ５５）。
　【００７３】
　図２０は、図９のステップＳ１７で起動される研究所２処理の流れを示す。図２１は、この処理で端末７３に表示する研究情報登録画面を示す。
　【００７４】
　この処理は、農業試験場１３等の研究機関に設置されている端末７３から起動することができ、起動されるとまず、図２１に示す研究情報登録画面をその端末７３に表示し（Ｓ５７）、その端末７３から画面に入力された植物に関する各種情報（植物名、学術名、品種登録番号、原産地、寄生病害虫名、使用可能薬剤等）を植物情報ファイル５５及び薬剤情報ファイル５９に最新情報として登録し、旧情報は履歴に移動する（Ｓ５８）。また、画面中の植物写真登録ボタン１３９がマウスクリックされると（Ｓ５９）、端末７３から入力された植物画像を画像情報ファイル６３に登録して、その画像番号を植物情報ファイル５５に登録し、旧情報はそれぞれのファイルの履歴へ移動させる（Ｓ６０）。また、薬剤情報登録ボタン１４１がマウスクリックされれば図２の薬剤情報登録３９を起動する（Ｓ６２）。別業務選択ボタン１４３がマウスクリックされれば、この研究所２処理を終了して図９のステップＳ３へ戻り（Ｓ６４）、終了ボタン１４５がマウスクリックされれば業務（メイン処理）を終了する（Ｓ６３）。
　【００７５】
　図２２は、図９のステップ１８で起動される気象情報照会２９の流れを示す。図２３、図２４及び図２５は、この処理で端末７３に表示する気象情報照会画面の全国版、地域（都道府県）版及び履歴版の例をそれぞれ示す。
　【００７６】
　この処理は、いずれの利用者端末７３からも起動でき、起動されるとまず図２３に示すような気象情報照会画面の全国版を端末７３に表示し（Ｓ６６）、その中から特定の地域が選択されると（Ｓ６７）、選択された地域の地図と気象情報を地図情報６１と気象情報ファイル５３から読み（Ｓ６５）、地域の地図画像に気象情報の絵をマッピングして図２４に示すような気象情報照会画面の地域版を端末７３に表示する（Ｓ６６）。この地域版の画面で履歴照会ボタン１５７がマウスクリックされれば（Ｓ６７）、気象情報ファイル５３の履歴からその地域の過去の気象情報を読み（Ｓ６５）、これを表形式に編集して図２５に示すような気象情報照会画面の履歴版を端末７３に表示する（Ｓ６７）。また、図２４の画面上で更に細かい地域が選択されたり、詳細地区照会ボタン１５３を用いて詳細な地域が選択されたり、気象情報詳細ボタン１５７を用いて詳細な気象情報項目が選択されたり、図２５の画面上で全国照会ボタン１５９がマウスクリックされたり、県照会ボタン１６１を用いて特定の県が選択されたり、市・群照会ボタン１６３を用いて特定の市又は群が選択されたりした場合には（Ｓ６７）、それぞれの選択された地域及び選択された気象情報項目の情報を地図情報ファイル６１及び気象情報ファイル５３から読み（Ｓ６５）、それを所定の画像に編集して端末７３に表示する（Ｓ６７）。また、各画面上の別業務選択ボタン１４７がマウスクリックされれば、この気象情報照会を終了して図９のステップＳ３へ戻り（Ｓ６９）、終了ボタン１４９がマウスクリックされれば業務（メイン処理）を終了する（Ｓ６８）。
　【００７７】
　図２６は、図９のステップＳ１９で起動される病害虫発生予察情報照会処理の流れを示す。図２７及び図２８は、この処理で端末７２に表示する病害虫発生予察情報画面の全国版及び地域（都道府県）版の例をそれぞれ示す。
　【００７８】
　この処理は、いずれの利用者端末７３からも起動でき、起動されるとまず病害虫情報ファイル５７と地図情報ファイル６１を読み（Ｓ７１）、指定された地域の地図画像上に発生可能性のある各病害虫の発生地域の絵をマッピングして図２７又は図２８に例示するような病害虫発生予察情報照会画面を端末７３に表示する（Ｓ７２）。その画面上で別の特定の地域が指定されると、上記と同様に、その地域の地図画像に予察された発生地域の絵をマッピングして端末７３に表示する（Ｓ７２）。また、図２８の画面に示すような履歴照会ボタン１７９がマウスクリックされれば（Ｓ７３）、病害虫情報ファイル５７の履歴から過去の発生地域を読み（Ｓ７１）、地図にマッピングして又は表形式に編集して端末７３に表示する（Ｓ７２）。
　【００７９】
　また、各画面上で病害虫発生推移ボタン１６９がマウスクリックされると（Ｓ７６）、気象情報ファイル５３、植物情報ファイル５５、病害虫情報ファイル５７、薬剤情報ファイル５９、地図情報ファイル６１を読み（Ｓ７９）、一定時間後又は利用者が指定した時間後又は指定した時間帯における指定地域の病害虫発生化可能性を予察し（Ｓ８０）、予察された発生地域（及び、場合によっては現在発生している地域も）地図画像上にマッピングして図２７又は図２８に例示するような発生推移が分かる画面を端末７３に表示する（Ｓ７２）。また、各画面上で特定の病害虫が選択された上で病害虫詳細情報ボタン１６５がマウスクリックされると（Ｓ７７）、図２の病害虫情報照会３３を起動して、選択された病害虫の詳細情報を端末７３に提供する。また、各画面上で別業務選択ボタン１７１がマウスクリックされれば、この病害虫発生予察情報照会処理を終了して図９のステップＳ３へ戻り（Ｓ７５）、終了ボタン１７３がマウスクリックされれば業務（メイン処理）を終了する（Ｓ７４）。
　【００８０】
　図２９は、図９のステップＳ２０や図２６のステップＳ７８などで起動される病害虫情報照会３３の流れを示す。図３０は、この処理で端末７３に表示する病害虫情報画面を示す。
　【００８１】
　この処理は、いずれの端末７３からも起動でき、病害虫情報ファイル５７を読み（Ｓ８１）、図３０に示す病害虫情報画面を端末７３に表示して、そこに、指定された病害虫の発生温度範囲、発生湿度範囲、発生気圧範囲、写真の有無、指定された地域での過去の発生の有無、特徴（症状、寄生植物、駆除方法等）を表示する（Ｓ８２）。この画面上で発生履歴ボタン１８３がマウスクリックされると（Ｓ８３）、病害虫情報ファイル５７の履歴を読み（Ｓ８１）、上述した諸項目の履歴を画面に表示する（Ｓ８２）。また、画面上で病害虫写真ボタン１８５がマウスクリックされると（Ｓ８４）、後述する病害虫写真処理を行う（Ｓ８９）。薬剤照会ボタン１８７がマウスクリックされると（Ｓ８５）、図２の薬剤情報照会４１を起動する。別業務選択ボタン１８９がマウスクリックされると、この病害虫情報照会を終了して図９のステップＳ３へ戻り（Ｓ８７）、終了ボタン１９１がマウスクリックされると業務（メイン処理）を終了する（Ｓ８６）。
　【００８２】
　図３１は、図９のステップＳ２１で起動される駆除方法登録３５の流れを示す。図３２は、この処理で端末７３に表示される駆除方法登録画面を示す。
　【００８３】
　この処理は、農業試験場１３や病害虫防除所・研究所７等に設置された端末７３から起動され、図３２に示すような駆除方法登録画面を端末７３に表示し（Ｓ９１）、そこに端末７３から入力された病害虫名、植物名、１以上の発生環境（温度範囲、湿度範囲、気圧範囲）、各発生温度範囲における最適な駆除方法（薬品名、濃度、散布方法等）を病害虫情報ファイル５７に最新情報として登録し、旧情報は履歴に移動させる（Ｓ９２）。画面中の病害虫写真登録ボタン１９３がマウスクリックされると（Ｓ９３）、端末７３から入力された病害虫写真を画像情報ファイル６３に登録し、その画像番号を病害虫情報ファイル５７に登録し、旧情報は履歴に移動する（Ｓ９３）。画面上の薬剤情報登録ボタン１９５がマウスクリックされると（Ｓ９５）、図２の薬剤情報登録３９を起動する（Ｓ９６）。別業務選択ボタン１９７がマウスクリックされるとこの駆除方法登録を終了して図９のステップＳ３へ戻り（Ｓ９７）、終了ボタン１９９がマウスクリックされると業務（メイン処理）を終了する（Ｓ９８）。
　【００８４】
　図３３は、図９のステップＳ２２で起動される駆除方法照会３７の流れを示す。図３４は、この処理で端末７３に表示する駆除方法照会画面を示す。
　【００８５】
　この処理は、いずれの端末７３からも起動でき、病害虫情報ファイル５７及び薬剤情報ファイル５９を読み（Ｓ９９）、図３４に示す駆除方法照会画面を端末７３に表示して、そこに、指定された病害虫の病害虫名、１以上の発生環境（温度範囲、湿度範囲、気圧範囲）、各発生温度範囲における最適な駆除方法（薬品名、濃度、散布方法等）を表示する（Ｓ１００）。この画面上で病害虫写真ボタン２０１がマウスクリックされると（Ｓ１０２）、後述する病害虫写真処理を行う（Ｓ１０６）。薬剤照会ボタン２０３がマウスクリックされると（Ｓ１０３）、図２の薬剤情報照会４１を起動する。別業務選択ボタン２０５がマウスクリックされると、この駆除方法照会を終了して図９のステップＳ３へ戻り（Ｓ１０５）、終了ボタン２０７がマウスクリックされると業務（メイン処理）を終了する（Ｓ１０４）。
　【００８６】
　図３５は、図９のステップＳ２３や図２０のステップＳ６２や図３１のステップＳ９６などで起動される薬剤情報登録３９の流れを示す。図３６は、この処理で端末７３に表示される薬剤情報登録画面を示す。
　【００８７】
　この処理は、製薬会社１１や農業試験場１３等の薬剤研究機関に設置された端末７３によって起動することができ、図３６に示すような薬剤情報登録画面を端末７３に表示し（Ｓ１０８）、そこに端末７３から入力された薬剤名、１以上の適用病害虫名、各病害虫に対する散布方法と注意事項を薬剤情報ファイル５９に最新情報として登録し、旧情報は履歴に移動させる（Ｓ１０９）。画面中の薬剤写真登録ボタン２０９がマウスクリックされると（Ｓ１１０）、端末７３から入力された薬剤写真を画像情報ファイル６３に登録し、その画像番号を薬剤情報ファイル５７に登録し、旧情報は履歴に移動する（Ｓ１１１）。画面上の別業務選択ボタン２１１がマウスクリックされるとこの薬剤情報登録を終了して図９のステップＳ３へ戻り（Ｓ１１３）、終了ボタン２１３がマウスクリックされると業務（メイン処理）を終了する（Ｓ１１２）。
　【００８８】
　図３７は、図９のステップＳ２４や図２９のステップＳ９０や図３３のステップ１０７などで起動される薬剤情報照会４１の流れを示す。図３８は、この処理で端末７３に表示する薬剤情報照会画面を示す。
　【００８９】
　この処理は、いずれの端末７３からも起動でき、薬剤情報ファイル５９を読み（Ｓ１１４）、図３８に示す薬剤情報照会画面を端末７３に表示して、そこに、指定された薬剤の薬剤名、１以上の適用病害虫名、各病害虫に対する散布方法と注意事項を表示する（Ｓ１１５）。この画面上で薬剤写真ボタン２１５がマウスクリックされると（Ｓ１１６）、後述する薬剤写真処理を行う（Ｓ１１７）。
　【００９０】
　図３９は、図９のステップＳ２５で起動される植物情報登録４３の流れを示す。図４０は、この処理で端末７３に表示される植物情報登録画面を示す。
　【００９１】
　この処理は、農業試験場１３等の研究機関に設置された端末７３から起動することができ、図４０に示すような植物情報登録画面を端末７３に表示し（Ｓ１１８）、そこに端末７３から入力された植物名、学術名、品種登録番号、原産地、寄生病害虫名、使用推薦薬剤名等を植物情報ファイル５５に最新情報として登録し、旧情報は履歴に移動させる（Ｓ１１９）。画面中の植物写真登録ボタン２２１がマウスクリックされると（Ｓ１２０）、端末７３から入力された植物写真を画像情報ファイル６３に登録し、その画像番号を植物情報ファイル５５に登録し、旧情報は履歴に移動する（Ｓ１２１）。画面上の別業務選択ボタン２２３がマウスクリックされるとこの植物情報登録を終了して図９のステップＳ３へ戻り（Ｓ１２３）、終了ボタン２２５がマウスクリックされると業務（メイン処理）を終了する（Ｓ１２３）。
　【００９２】
　図４１は、図９のステップＳ２６で起動される植物情報照会４５の流れを示す。図４２は、この処理で端末７３に表示する植物情報照会画面を示す。
　【００９３】
　この処理は、いずれの端末７３からも起動でき、植物情報ファイル５５を読み（Ｓ１２４）、図４２に示す植物情報照会画面を端末７３に表示して、そこに、指定された植物の植物名、学術名、品種登録番号、原産地、寄生病害虫名、使用推薦薬剤名等を表示する（Ｓ１２５）。この画面上で植物写真ボタン２２７がマウスクリックされると（Ｓ１２６）、後述する植物写真処理を行う（Ｓ１２８）。画面上の病害虫照会ボタン２２９がマウスクリックされると、図２９に示した病害虫情報照会を行う（Ｓ１２９）。
　【００９４】
　図４３は、病害虫写真処理の流れを示す。図４４は、この処理で端末７３に表示する病害虫写真画面を示す。
　【００９５】
　この処理では、画像情報ファイル６３から指定された病害虫の画像を読み（Ｓ１３０）、これを図４４に示すような画面に表示して端末７３に表示する（Ｓ１３１）。この画面上の前画面ボタン２３５がマウスクリックされると、前の画面（この写真処理に入る直前の画面）に戻る（Ｓ１３２）。
　【００９６】
　図４５は、薬剤写真処理の流れを示す。図４６は、この処理で端末７３に表示する薬剤写真画面を示す。
　【００９７】
　この処理では、画像情報ファイル６３から指定された薬剤の画像を読み（Ｓ１３３）、これを図４６に示すような画面に表示して端末７３に表示する（Ｓ１３４）。この画面上の前画面ボタン２３７がマウスクリックされると、前の画面（この写真処理に入る直前の画面）に戻る（Ｓ１３５）。
　【００９８】
　図４７は、植物写真処理の流れを示す。図４８は、この処理で端末７３に表示する植物写真画面を示す。
　【００９９】
　この処理では、画像情報ファイル６３から指定された植物の画像を読み（Ｓ１３６）、これを図４８に示すような画面に表示して端末７３に表示する（Ｓ１３７）。この画面上の前画面ボタン２３９がマウスクリックされると、前の画面（この写真処理に入る直前の画面）に戻る（Ｓ１３８）。
　【０１００】
　以上説明した実施形態によれば、病害虫の発生を事前に予察し、その予察結果及び適当な駆除方法を関係機関へ通知することできる。従って、病害虫の発生又は拡大を未然に防ぎ、農作物の生産量を向上させることができる。また、病害虫発生前に予防として行う駆除は、発生後に行う駆除に比較して、薬剤濃度が薄くて済むため、人及び環境に及ぼす薬剤の悪影響も最小化できる。予察結果を製薬計画に利用できるので、効果的な製薬が可能になる。予察結果だけでなく、気象、病害虫発生、駆除などに関する豊富な履歴も参照できるので、病害虫駆除方法や植物品種改良などに関する研究・開発にも大いに貢献できる。
　【０１０１】
　上述した実施形態は本発明の説明のための例示であり、この実施形態にのみ本発明の範囲を限定する趣旨ではない。本発明は、その要旨を逸脱しない範囲で、その他の種々の異なる形態でも実施することができる。例えば、予察で用いる情報の種類、予察の具体的手法、関係機関へ提供する情報の種類、その情報の提供の仕方などについては、多くのバリエーションが考え得る。また、システムの構成も、実施形態のようにシステムセンタが集中的に処理する形態だけでなく、多くのコンピュータで分散処理する形態も実施可能であるし、全てをソフトウェアで処理する形態だけでなく、一部の処理を専用ハードウェアで処理する形態なども実施可能である。
【図面の簡単な説明】
　【図１】
　本発明の一実施形態にかかる病害虫発生予察及び情報提供システムの全体のシステム構成を示す
　【図２】
　予察情報システムセンタ１のソフトウェア構成を示す。
　【図３】
　利用者管理ファイルの内容を示す図。
　【図４】
　気象情報ファイルの内容を示す図。
　【図５】
　植物情報ファイルの内容を示す図。
　【図６】
　病害虫情報ファイルの内容を示す図。
　【図７】
　薬剤情報ファイルの内容を示す図。
　【図８】
　画像情報ファイルの内容を示す図。
　【図９】
　メイン処理のフローチャート。
　【図１０】
　メイン処理２０で用いる処理フラグを示す図。
　【図１１】
　メイン処理２０で端末７３に表示する業務選択画面を示す図。
　【図１２】
　研究所１処理のフローチャート。
　【図１３】
　病害虫１処理のフローチャート。
　【図１４】
　気象情報登録のフローチャート。
　【図１５】
　病害虫発生予察処理のフローチャート。
　【図１６】
　利用者登録・確認２７のフローチャート。
　【図１７】
　利用者確認画面を示す図。
　【図１８】
　病害虫２処理のフローチャート。
　【図１９】
　病害虫情報登録画面を示す図。
　【図２０】
　研究所２処理のフローチャート。
　【図２１】
　研究情報登録画面を示す図。
　【図２２】
　気象情報照会２９のフローチャート。
　【図２３】
　気象情報照会画面の全国版を示す図。
　【図２４】
　気象情報照会画面の都道府県版（神奈川県の例）を示す図。
　【図２５】
　気象情報照会画面の履歴版を示す図。
　【図２６】
　病害虫発生予察情報照会処理のフローチャート。
　【図２７】
　病害虫発生予察情報画面の全国版を示す図。
　【図２８】
　病害虫発生予察情報画面の都道府県版を示す図。
　【図２９】
　病害虫情報照会３３のフローチャート。
　【図３０】
　病害虫情報画面を示す図。
　【図３１】
　駆除方法登録３５のフローチャート。
　【図３２】
　駆除方法登録画面を示す図。
　【図３３】
　駆除方法照会３７のフローチャート。
　【図３４】
　駆除方法照会画面を示す図。
　【図３５】
　薬剤情報登録３９のフローチャート。
　【図３６】
　薬剤情報登録画面を示す図。
　【図３７】
　薬剤情報照会４１のフローチャート。
　【図３８】
　薬剤情報照会画面を示す図。
　【図３９】
　植物情報登録登録４３のフローチャート。
　【図４０】
　植物情報登録画面を示す図。
　【図４１】
　植物情報照会４５のフローチャート。
　【図４２】
　植物照会画面を示す図。
　【図４３】
　病害虫写真処理のフローチャート。
　【図４４】
　病害虫写真画面を示す図。
　【図４５】
　薬剤写真処理のフローチャート。
　【図４６】
　薬剤写真画面を示す図。
　【図４７】
　植物写真処理のフローチャート。
　【図４８】
　植物写真画面を示す図。
　【符号の説明】
　１　予察情報システムセンタ
　３　気象センタ
　５　農林水産省・厚生省のシステム
　７　病害虫防除所・研究所のシステム
　９　植物防疫所のシステム
　１１　製薬会社のシステム
　１３　農業試験場のシステム
　１５　営農者・営林局のシステム
　２０　メイン処理
　２１　病害虫情報登録
　２３　研究情報登録
　２５　気象情報登録
　２７　利用者登録・確認
　２９　気象情報照会
　３１　病害虫発生予察・予察情報照会
　３３　病害虫情報照会
　３５　駆除方法登録
　３７　駆除方法照会
　３９　薬剤情報登録
　４１　薬剤情報照会
　４３　植物情報登録
　４５　植物情報照会
　５１　利用者管理ファイル
　５３　気象情報ファイル
　５５　植物情報ファイル
　５７　病害虫情報ファイル
　５９　薬剤情報ファイル
　６１　地図情報ファイル
　６３　画像情報ファイル